(57)【要約】      （修正有）【課題】マイクロ手術において、吻合対象となる管の計測を正確にかつ簡便に行うためのメジャーを提供する。【解決手段】マイクロ手術に必要なマイクロ目盛表示１２が目盛板２０に印字されており、この目盛板を透明なラミネートフィルムで覆うことによって、切開部と目盛板あるいは印字目盛とが直接接触することを防止し、切開部への雑菌の侵入を排除しながら、切開部で行われる手術に必要な血管あるいはリンパ管の各部を正確にかつ迅速に測定することが可能となる。また、マイクロメジャー自体は、きわめて小型なため、これに黒糸などの紛失防止用糸１４を長く付着させることによって、切開部におけるマイクロメジャー１０の存在を容易に術者に認識させることが可能となる。【選択図】図１
0003150160.tif 000002
【実用新案登録請求の範囲】
【請求項１】
少なくとも一方の面にマイクロ目盛表示が印字された目盛板と、
目盛板の少なくとも目盛印字面全体を覆う透明なラミネートフィルムと、
からなるマイクロメジャー。
【請求項２】
請求項１記載のマイクロメジャーにおいて、
目盛板の目盛印字面と反対側の面を覆う第２のラミネートフィルムを含むマイクロメジャー。
【請求項３】
請求項１または２記載のマイクロメジャーにおいて、
マイクロメジャーには黒糸からなる紛失防止用糸が取り付けられていることを特徴とするマイクロメジャー。
【請求項４】
請求項１〜３のいずれか１に記載のマイクロメジャーにおいて、
目盛板が白色からなり、マイクロ目盛表示は黒色で印字されていることを特徴とするマイクロメジャー。
【請求項５】
請求項１〜４のいずれか１に記載のマイクロメジャーにおいて、
ラミネートフィルムはポリエチレンテレフタレートからなることを特徴とするマイクロメジャー。
【考案の詳細な説明】
【技術分野】
【０００１】
本考案は、マイクロメジャー、特に顕微鏡下でのマイクロ手術に対する計測支援に使用する微細なメジャーに関するものであり、このようなマイクロ手術としては、脳血管吻合、リンパ管静脈吻合などが周知である。
【背景技術】
【０００２】
顕微鏡下で行われるマイクロ手術においては、吻合対象である血管あるいはリンパ管などの計測を術中に行い、吻合の適否判断あるいは吻合対象となる管の太さ調整を行うための切断箇所の確認などを迅速に行わなければならず、このために、術中における各血管あるいはリンパ管などの簡便かつ正確な計測を行うマイクロメジャーが求められている。
【０００３】
従来においては、マイクロ手術において専用のメジャーは用いられておらず、術者の長年の勘と経験に依存することが多く、また血管の計測のためには通常のものさしを用いるなど、使いにくいメジャーの転用しか実際上利用されていないという問題があった。
【０００４】
このような医療用ではない通常のものさしとしては、例えば特許文献１に示されるように、複数種類の目盛パターンをレンチキュラーレンズで読み取る定規が知られている。
【先行技術文献】
【特許文献】
【０００５】
【特許文献１】特開２００６−２１４８４８
【考案の概要】
【考案が解決しようとする課題】
【０００６】
以上のように、マイクロ手術において、簡便に長さ測定を行うためには、前述したように、通常の目盛を持ったものさし、例えば鋼製のものさしが用いられていたが、このような従来の装置では、鋼製のメジャーを再使用可能とするために洗浄滅菌を繰り返すこととなり、鋼製のものさし同士が接触して表面が傷ついたり印字目盛が分かりにくくなるという問題があり、到底手術の手助けになるメジャーとして有用でないという欠点があった。
【０００７】
さらに、このような従来の鋼製ものさしでは、血液などが付着した場合に、開腹された切開部に鋼製ものさしが置き忘れられてしまうという問題もあった。
【０００８】
さらに、従来の鋼製ものさしでは、通常目盛がミリ単位までしかなく、実際のマイクロ手術では到底十分に精密な測定をすることができないという問題があった。
【０００９】
また、特許文献にて示された定規などでは、マイクロ手術に適する目盛を付与することは可能であるが、定規自体がレンチキュラーレンズなどをもった厚みの大きい構造となり、マイクロ手術中に使いにくいという問題があった。
【００１０】
従って、顕微鏡下のマイクロ手術中において、切開部の必要部分に置いて、対象となる血管あるいはリンパ管等の直径あるいは長さを直接手軽かつ迅速に測ることのできるマイクロメジャーが求められていた。
【００１１】
また、このようなマイクロメジャーには、切開部に置かれた後に、手術完了あるいは術中において容易に切開部から除去されることが好ましい。
【課題を解決するための手段】
【００１２】
上記課題を解決するために、本考案に係るマイクロメジャーは少なくとも一方の面にマイクロ目盛表示が印字された目盛板と、目盛板の少なくとも目盛印字面全体を覆う透明なラミネートフィルムと、からなることを特徴とする。
【００１３】
また、本考案におけるマイクロメジャーには、黒糸などからなる紛失防止用糸が取り付けられ、術部にマイクロメジャーが置かれていることを容易に認識することが可能である。
【００１４】
さらに、本考案に係るマイクロメジャーはラミネートフィルムとして化学的に安定なポリエチレンテレフタレート（ＰＥＴ）を用いることが好適である。
【００１５】
さらに、本考案に係るマイクロメジャーは、目盛の読み取りを容易にするため、目盛板自身の表面は白色に、目盛自体は黒色に印字することが好適である。
【考案の効果】
【００１６】
本考案によれば、マイクロ手術に必要なマイクロ目盛表示が目盛板に印字されており、この目盛板を透明なラミネートフィルムによって覆うことによって、切開部と目盛板あるいは印字目盛とが直接接触することを防止し、切開部への雑菌の侵入を排除しながら、切開部で行われる手術に必要な血管あるいはリンパ管の各部を正確にかつ迅速に測定することが可能となる。また、マイクロメジャー自体は、きわめて小型なため、これに黒糸などの紛失防止用糸を長く付着させることによって、切開部におけるマイクロメジャーの存在を容易に術者に認識させることが可能となる。
【図面の簡単な説明】
【００１７】
【図１】本考案に係るマイクロメジャーの全体を示す平面図である。
【図２】本考案に係るマイクロメジャーの好適な第１実施形態を示す断面図である。
【図３】本考案の第２実施形態を示す断面図である。
【図４】本考案の第３実施形態を示す断面図である。
【考案を実施するための形態】
【００１８】
図１は本考案に係るマイクロメジャーの平面図が示され、タグ型の平板からなるマイクロメジャー１０には目盛１２が印字されており、実施形態の目盛は３ミリの目盛を持ち、最小目盛は０．２ミリ単位で印字されている。マイクロメジャーの一部には糸取付用開口１０Ａが設けられており、この開口１０ａに紛失防止用糸１４が結びつけられている。通常、この紛失防止用糸は黒糸からなり、その長さは５０センチメートル±２０センチメートル程度に設定され、開口部にマイクロメジャー１０が置かれた場合にも、その存在を術者に容易に知らせることが可能である。
【００１９】
図２には、本考案のマイクロメジャーの積層構造が示されており、図１に示したマイクロ目盛表示が印字された目盛板２０には、透明なラミネートフィルム２２が積層密着され、目盛板２０のマイクロ目盛表示１２を覆っている。
【００２０】
したがって、この第１実施形態においては、目盛板２０とラミネートフィルム２２との間にマイクロ目盛表示１２が挟まれて密閉され、このようなマイクロ目盛表示を例えばインクなどで印字した場合においても、このインクが外部に漏出することがなく、また、術中に目盛が傷つけられて計測がしにくくなるというような不具合を確実に防止することが可能である。
【００２１】
本実施形態において、目盛板２０は合成紙からなり、またラミネートフィルム２２はポリエチレンテレフタレートなどから構成することが好適である。
【００２２】
本実施形態におけるマイクロメジャー１０は滅菌処理されたものを、これも滅菌された包装部材で密閉して供給され、マイクロ手術に際して取り出され、術後には破棄されることが好ましい。
【００２３】
図３は、本考案に係るマイクロメジャー１０の第２実施形態を示し、目盛板のマイクロ目盛表示１２と反対側の面にも第２のラミネートフィルム２４が密着積層されており、合成紙からなる目盛板２０の裏面が直接切開部と接触することを防止しており、さらに安全性の高いマイクロメジャーを提供することができる。この実施形態における第２のラミネートフィルムもポリエチレンテレフタレートから構成されている。
【００２４】
図４には、本考案に係るマイクロメジャーの第３実施形態が示され、この実施形態では、目盛板を構成する樹脂フィルム３０の一方の表面にアルミやその他の金属を全面に蒸着させ、この蒸着面をエッチングあるいはレーザーマーキングによって加工してマイクロ目盛表示を形成したものである。このマイクロ目盛表示面にも透明なラミネートフィルム３２が密着積層され、蒸着面を保護し、あるいは金属と切開部との直接的な接触を確実に防止することができる。目盛板３０はポリフィルムからなるが、必要に応じて、ポリフィルムを台紙３４上に設けることも可能であり、この台紙３４もポリエチレンテレフタレートから構成することも可能である。もちろん、第３実施形態において、この台紙３４はポリフィルム３０から取り外してマイクロメジャーを作ることもでき、加工中の台紙としてのみ用いる場合には、この台紙は合成紙を用いることが可能である。
【００２５】
以上説明したように、本考案に係るマイクロメジャーによれば、目盛板に印字されるマイクロ目盛表示はマイクロ手術に必要な微細目盛、たとえば最小０．２ｍｍ単位であり、十分に血管あるいはリンパ管などの概略値を確認することができ、切開部への化学的な影響がほとんどないので、直接血管あるいはリンパ管に近づけて精密測定を行うことが可能となる。
【００２６】
また、マイクロ目盛は白色の目盛板の上に黒色で印字され、術中にもきわめてわかりやすい目盛表示を提供することができる。
【００２７】
また、前述したようにマイクロメジャー１０には紛失防止用糸１４が取り付けられて、この糸は黒シルクからなり、術中にもこの黒糸によってマイクロメジャーの存在を術者に認識することができ、切開部へのマイクロメジャーの置き忘れなどを確実に防止することが可能となる。
【実施例１】
【００２８】
図３に示した第２実施形態において、好適な実施例として、合成紙からなる目盛板２０は１５０マイクロメータの厚みを有し、またこの目盛板２０の表面及び裏面と密着するポリエチレンテレフタレートからなるラミネートフィルム２２，２４はそれぞれ１６マイクロメータの厚みを有する。
【００２９】
目盛板２０と各ラミネートフィルム２２，２４とは熱圧着されており、密着力が高いので容易に剥離することが無いという利点がある。
【００３０】
また、このようにして三層構造とされたマイクロメジャー１０はＥＯＧ（エチレンオキサイドガス）滅菌されてマイクロ手術に供され、本発明で用いられるポリエチレンテレフタレートラミネートフィルム２２，２４は、それぞれこのような滅菌処理においても腐食あるいは変形することが無い。同時に、これらのマイクロフィルムは、ＥＯＧ滅菌時における６０度以上の高温にも十分耐えることが出来る。そして熱変形しにくいことにより、メジャーとしての寸法安定性に優れ良好な機能を供することが可能である。
【符号の説明】
【００３１】
１０  マイクロメジャー、１２  目盛表示、１４  紛失防止用糸、２０  目盛板、２２  ラミネートフィルム、２４  第２のラミネートフィルム。
【図１】
0003150160.tif 000003
【図２】
0003150160.tif 000004
【図３】
0003150160.tif 000005
【図４】
0003150160.tif 000006